(57)【要約】【課題】卓上型の紙葉類帯封装置を提供する。【解決手段】クランプアーム１６を元の位置Ａから矢印Ｂの方向に回転させて、クランプアーム１６の先端部が帯テープ送り部１４の帯テープ出口部１４ａ付近に位置するようにする（位置Ａ’）。クランプアーム１６が位置Ａ’に位置したら、帯テープ送り部１４の帯テープ出口部１４ａから帯テープ１８を送り出し、帯テープ１８の先端部分をクランプ部１９にクランプさせる。その後、クランプアーム１６を矢印Ｃの方向に回転させることにより、帯テープ１８がスタッカ部１１の周囲にループ状に配置される。【選択図】図３
2010089829.tif 000002
【特許請求の範囲】
【請求項１】
複数枚の紙葉類からなる束に帯テープを巻きつけて帯封を施す紙葉類帯封装置であって、
前記複数枚の紙葉類を集積して前記束にするスタッカ部を備え、
前記複数枚の紙葉類を集積する前に、予め前記帯テープを前記スタッカ部の周囲にループ状に配置しておき、前記複数枚の紙葉類を集積した後に、前記ループ状の帯テープを前記束に巻きつける紙葉類帯封装置。
【発明の詳細な説明】
【技術分野】
【０００１】
この発明は紙葉類帯封装置に係り、特に、複数枚の紙葉類を重ねた束に自動的に帯封を施す紙葉類帯封装置に関する。
【背景技術】
【０００２】
従来の紙葉類帯封装置が、例えば特許文献１に記載されている。この紙葉類帯封装置は、紙葉類である紙幣を複数枚重ねて構成された札束に帯テープを巻くことにより、帯封を施す装置である。この紙葉類帯封装置では、複数枚の紙幣を集積して札束を構成した後、紙幣キャリアがその札束を挟持して、紙幣を集積する場所とは異なる場所に設けられた帯封機構部に移動させ、札束に帯封を施している。
【０００３】
【特許文献１】特開２００７−３０２３０４号公報
【発明の開示】
【発明が解決しようとする課題】
【０００４】
しかしながら、特許文献１の紙葉類帯封装置では、紙幣を集積する場所と札束に帯封を施す場所とが異なるため、装置が大型化するといった問題点があった。
【０００５】
この発明はこのような問題点を解決するためになされたもので、卓上型の紙葉類帯封装置を提供することを目的とする。
【課題を解決するための手段】
【０００６】
この発明に係る紙葉類帯封装置は、複数枚の紙葉類からなる束に帯テープを巻きつけて帯封を施す紙葉類帯封装置であって、前記複数枚の紙葉類を集積して前記束にするスタッカ部を備え、前記複数枚の紙葉類を集積する前に、予め前記帯テープを前記スタッカ部の周囲にループ状に配置しておき、前記複数枚の紙葉類を集積した後に、前記ループ状の帯テープを前記束に巻きつける。
【発明の効果】
【０００７】
この発明によれば、複数枚の紙葉類を集積する場所と、紙葉類の束に帯封する場所とが同一であることにより、紙葉類帯封装置が小型化されるので、卓上型の紙葉類帯封装置を提供することができる。
【発明を実施するための最良の形態】
【０００８】
以下、この発明の実施の形態を添付図面に基づいて説明する。
この発明の実施の形態に係る紙葉類帯封装置の側方断面図を図１に示す。紙葉類帯封装置１は、その上部の前方部分に、紙幣を投入する紙幣投入部２を備えている。また、紙葉類帯封装置１には、紙幣投入部２に投入された紙幣の種類を鑑別する鑑別部３と、鑑別部３で鑑別された紙幣のうち帯封対象となる紙幣とその他の紙幣とを振分ける振分けゲート４と、当該その他の紙幣のうち読み取り不能な紙幣と読み取り可能な紙幣とを振分ける振分けゲート５と、帯封対象の紙幣の束に帯封を施す帯封機構部６と、帯封対象ではないが読み取り可能な紙幣を集積する金種スタッカ部７と、読み取り不能の紙幣を集積するリジェクトスタッカ部８とが設けられている。さらに、紙葉類帯封装置１の下部の正面部には、開閉可能なフロントカバー９が設けられ、フロントカバー９を開放することにより、帯封機構部６を正面から操作可能になっている。
【０００９】
図２に示されるように、帯封機構部６は、紙幣が集積されるスタッカ部１１と、振分けゲート４（図１参照）で振分けられた帯封対象の紙幣をスタッカ部１１に供給する紙幣搬送部１２と、スタッカ部１１に集積された複数枚の紙幣を圧縮する圧縮ブラケット１３と、複数の紙幣が集積されて構成された札束に巻かれる帯テープ１８を供給する帯テープ送り部１４と、帯テープ１８に糊付けを行うヒータ１５とを備えている。スタッカ部１１は、紙葉類帯封装置１（図１参照）の前方から見たときに、手前に向かって下り勾配の傾斜を有しており、スタッカ部１１に集積された札束をスタッカ部１１上に留めておくために、開閉可能な紙幣ストッパ１７が設けられている。スタッカ部１１には、一端が回転可能に固定されることにより回動可能であるクランプアーム１６が設けられている。クランプアーム１６には、帯テープ１８の先端をクランプするためのクランプ部１９が設けられている。
【００１０】
次に、この実施の形態に係る紙葉類帯封装置の動作について説明する。
まず、紙葉類帯封装置１の準備動作として、帯テープ１８をスタッカ部１１の周囲に予めループ状に配置するための動作について説明する。図３に示されるように、クランプアーム１６を元の位置Ａから矢印Ｂの方向に回転させて、クランプアーム１６の先端部が帯テープ送り部１４の帯テープ出口部１４ａ付近に位置するようにする（位置Ａ’）。クランプアーム１６が位置Ａ’に位置したら、帯テープ送り部１４の帯テープ出口部１４ａから帯テープ１８を送り出し、帯テープ１８の先端部分をクランプ部１９にクランプさせる。その後、クランプアーム１６を矢印Ｃの方向に回転させることにより、帯テープ１８がスタッカ部１１の周囲にループ状に配置される。
【００１１】
次に、複数枚の紙幣を帯封する動作について説明する。
図１に示されるように、複数枚の紙幣を紙幣投入部２に投入すると、紙幣が一枚ずつ鑑別部３に送られ、紙幣それぞれの種類が鑑別される。鑑別部３で鑑別された紙幣の種類に基づいて、振分けゲート４は、帯封対象の種類の紙幣を帯封機構部６に振り分ける。その他の種類の紙幣は振分けゲート５に送られ、鑑別部３で鑑別された紙幣の種類に基づいて、読み取り不能の紙幣をリジェクトスタッカ部８へ振分けると共に、読み取り可能な紙幣を金種スタッカ部７へ振分ける。
【００１２】
図４に示されるように、帯封機構部６に振り分けられた紙幣は、紙幣搬送部１２によってスタッカ部１１上に一枚一枚集積され、スタッカ部１１上には、帯封対象の紙幣からなる札束２０が構成される。札束２０は、紙幣ストッパ１７に支えられることにより、スタッカ部１１の傾斜によってすべり落ちないようになっている。尚、スタッカ部１１上に集積される紙幣の枚数は、図示しない計数部において計測される。
【００１３】
当該計数部において、スタッカ部１１上に１００枚の紙幣が集積されたことを計測したら、図５に示されるように、まず圧縮ブラケット１３が札束２０に向かって移動し、札束２０を圧縮する。この状態で、クランプアーム１６が矢印Ｄの方向に回転することにより、帯テープ１８が札束２０の周りに巻きつけられる。
【００１４】
帯テープ１８が札束２０の周りに巻きつけられた後、図６に示されるように、帯テープ送り部１４は、余分に供給された帯テープを巻き戻し、札束２０を帯テープ１８で絞り込む。その後、ヒータ１５を矢印Ｅの方向に駆動させて、帯テープ１８を糊付けすると共にカットする。
【００１５】
次に、図７に示されるように、圧縮ブラケット１３が元の位置に戻ることにより、圧縮ブラケット１３による札束２０の圧縮を解除する。その後、紙幣ストッパ１７が矢印Ｆの方向に回動する。すると、図８に示されるように、帯封された札束２０は、スタッカ部１１の傾斜を滑り落ちることにより、帯封機構部６から排出される。
【００１６】
尚、スタッカ部１１上に集積された紙幣の枚数が１００枚未満の場合には、上記動作による帯封動作は行われない。この場合には、フロントカバー９を開放すると、帯テープ１８の先端がクランプ部１９から離れ、帯テープ送り部１４が帯テープ１８を巻き戻す。これにより、帯封機構部６の正面から手動で、集積された１００枚未満の紙幣を取り出すことができる。
【００１７】
１００枚の紙幣からなる札束からなる札束２０の帯封動作終了後、または、１００枚に満たない紙幣が帯封機構部６から取り出された後、帯封機構部６では、図３に示された準備動作が行われて、次の帯封動作を行うための準備を行う。
【００１８】
このように、複数枚の紙幣を集積する前に、予め帯テープ１８をスタッカ部１１の周囲にループ状に配置しておき、複数枚の紙幣を集積した後に、ループ状の帯テープ１８を札束２０に巻きつける構成により、複数枚の紙幣を集積する場所と、札束に帯封する場所とが同一となって紙葉類帯封装置１が小型化されるので、卓上型の紙葉類帯封装置１を提供することができる。
【図面の簡単な説明】
【００１９】
【図１】この発明の実施の形態に係る紙葉類帯封装置の側方断面図である。
【図２】この実施の形態に係る紙葉類帯封装置の帯封機構部の側方構成図である。
【図３】この実施の形態に係る紙葉類帯封装置の準備動作を説明するための帯封機構部の側方構成図である。
【図４】この実施の形態に係る紙葉類帯封装置の帯封動作において、スタッカ部に紙幣を集積する工程を説明するための帯封機構部の側方構成図である。
【図５】この実施の形態に係る紙葉類帯封装置の帯封動作において、札束に帯テープを巻く工程を説明するための帯封機構部の側方構成図である。
【図６】この実施の形態に係る紙葉類帯封装置の帯封動作において、帯テープに糊付けし帯テープをカットする工程を説明するための帯封機構部の側方構成図である。
【図７】この実施の形態に係る紙葉類帯封装置の帯封動作において、帯封された札束が帯封機構部から排出される工程を説明するための帯封機構部の側方構成図である。
【図８】この実施の形態に係る紙葉類帯封装置の帯封動作において、帯封された札束が帯封機構部から排出された状態を示す帯封機構部の側方構成図である。
【図９】この実施の形態に係る紙葉類帯封装置の帯封動作において、帯封対象の紙幣が１００枚に満たなかった場合に、紙幣を帯封機構部から排出する工程を説明するための帯封機構部の側方構成図である。
【符号の説明】
【００２０】
１  紙葉類帯封装置、１１  スタッカ部、１８  帯テープ、２０  札束（束）。
【図１】
2010089829.tif 000003
【図２】
2010089829.tif 000004
【図３】
2010089829.tif 000005
【図４】
2010089829.tif 000006
【図５】
2010089829.tif 000007
【図６】
2010089829.tif 000008
【図７】
2010089829.tif 000009
【図８】
2010089829.tif 000010
【図９】
2010089829.tif 000011